(57)【特許請求の範囲】
【請求項１】
上部が開口し包装された状態のバターを収納可能な容器本体と、容器本体の側面に上下方向に設けられたスライド溝と、スライド溝に設けられた複数の押し上げ板止めと、容器本体内を上下動するバター押し上げ板と、押し上げ板端部に接続された前記スライド溝を通って上下動すると共に前記押し上げ板止めで固定する摘みと、バターの厚み方向に移動可能となるように容器内に設けられたバター押し止め板と、バター押し止め板の位置調整を行うネジ及びスプリングを設けたバタースライス容器。
【請求項２】
容器本体開口部に着脱すると共に、上方に突出するバターナイフ受け止め部兼用の親指当てがい部を有する枠体を具備することを特徴とする請求項１記載のバタースライス容器。
【発明の詳細な説明】
【０００１】
【産業上の利用分野】
この発明は、バターを薄切りできるバタースライス容器と、バタースライス容器に用いる、スライスエッジ付きバターナイフ及びスライスエッジ付きバタースプレーダーに関するものである。
【０００２】
【従来の技術】
従来、バタートーストパンを食するとき、冷蔵庫から取り出したバターは固く、低い温度で保存したバターほど、固くて溶けにくく、トーストパンに伸ばして塗りにくい。
【０００３】
【発明が解決しようとする課題】
本発明は上記欠点を補う為、バターを薄くスライスできるバタースライス容器とスライスエッジ付きバターナイフ、又はスライスエッジ付きバタースプレーダーを用い、焼き上がったパンの熱いうちに、バターを薄くスライスして乗せると、バターは熱に因って直ちに溶け出し、パンに容易に伸ばして塗ることができ、栄養と味と風味豊かなバタートーストパンを、容易に手軽に食せるようにするものである。
又調理やケーキ作りにも、任意の厚さにスライスして容易に使用できるようにするものである。
【０００４】
【課題を解決するための手段】
バター入れ口より、包装された侭のバターを入れ、バターをバター入れ口上端より外出させる、バター押し上げ部を有し、バター入れ口の長辺側の一方に、前後に出退するバター押止部を有し、該バター押止部の上端縁とバター入れ口の短辺側の両上端縁に包装紙切り取り刃を設け、前記バター入れ口を構成し、又は前記バター押止部の上端縁と、バター入れ口の短辺側の両上端縁から成るバター入れ口を構成し、該バター入れ口に沿って包装紙を切り取る、任意形状のカッターを備え、前記、各構成のバター入れ口の短辺側の一方に、厚さ方向のバター面に近接して、上方へ突出するバターナイフ受け止め部を兼ねた親指当てがい部を設けて、バタースライス容器を構成する。
実施例の図３．４．９で説明すると、バター入れ口２．２ａよりバターを外出させる、両端に摘み１０．１０ａの付いた、矩形状のバター押し上げ板９．９ａを、バタースライス容器１．１ａの短辺側の両側面に設けたスライド溝８．８ａに差し渡し、バターを止め置ける、所定間隔に切り欠いたバター押し上げ板止め１１．１１ａから成るバター押し上げ部を設け、バター入れ口２の短辺側の両上端縁に、刃の先端がバター面に対してほぼ直角に向いたギザギザ刃３を設け、バター入れ口の長辺側の一方の内方に、押止ネジ６の締め緩めによって、前後に出退するバター押止板５を設け、押止板５の上端縁に、バター面にほぼ直角に向くギザギザ刃４を有してバター入れ口２を構成し、又は、前記バター押止板５の上端縁にギザギザ刃を設けないバター押止板５ａと、ギザギザ刃を有しない短辺側の両上端縁とから成る、バター入れ口２ａを構成して、図２の上方へ突出するバターナイフ受け止め部を兼ねた親指当てがい部１２を有し、バター入れ口２．２ａの上端外周に着脱自在にはめ合わせる枠体１３とから成る、バタースライス用器１．付属の任意形状の包装紙切り取り用カッター１５を備えた、バタースライス容器１ａを構成する。
前記バターの押止部のバター押止板５．５ａは、各製造メーカーによるバターの若干の厚さの違いに対応し、図２２．２４のバタースライス容器１ｂ．１ｃでは、バター押止板５．５ａの下部に、バターの厚さに応じて前後に伸縮するスプリング２４を設け、厚さの小さいバターでは、押止ネジ６を締めてバターを固定した時のバターの外方への若干の傾きを防ぐ。
又、バター入れ口の、バター押止板対辺の長辺側の上端を、バター押止板上端より若干高く設けて短辺側の両上端に傾斜勾配２７を設け、厚みの小さい、前記バターの外方への若干の傾きを防ぐ、バター入れ口２ｂ．２ｃを構成する。
又、前記バター押し上げ部のバター押し上げ板止め１１．１１ａを多数段設けると、段間の間隔長に応じた少ない量のバターを外出でき、又スライド溝８．８ａの底部から上部に、バターを押し上げる、滑り抵抗を有する無段階のスライド式にしてバターをバター入れ口より外出できる。
上記のバタースライス容器と、図１２．１６．２０の、側縁部に刃型状の傾斜面２０．２０ａ．２０ｂを有するスライスエッジ１９．１９ａ．１９ｂ  の付いた、図１０．１４．１８のスライスエッジ付きバターナイフ、又は、図１３．１７．２１のスライスエッジ２１．２１ａ．２１ｂのの付いた、図１１．１５．１９のスライスエッジ付きバタースプレーダーを用いて、バターを任意の厚さにスライスする。
【０００５】
【作用】
各部の作用を図３．４．９．１０．１１．２２．２３．２４．２５．２６の実施例で説明する。
図３．４．９に於て、バター押し上げ板９．９ａの両側摘み１０．１０ａを指で押さえ、スライド溝８．８ａに沿わせ、底部のバター押し上げ板止め１１．１１ａまで下げ、バタースライス容器１．１ａ．図２２．２４のバタースライス容器１ｂ．１ｃのバター入れ口２．２ａ．２ｂ．２ｃより、包装された侭の新しいバターを入れると、バター入れ口の上部に、包装されたバターの一端が外出する。押止ネジ６を締めつけるとバター押止板５．５ａは前出し、包装紙の上からバターを押えて固定し、図２２．２４のコイルスプリング２４はバターの厚みに応じて伸縮しバターをほぼ垂直に保ち、バターの外方への若干の傾きを防ぐ。
この時、バタースライス容器１．１ｂでは、図５の要領で包装紙の端を摘み、押止板上端のギザギザ刃４からギザギザ刃３、バター押止板５の対辺の端縁に沿って包装紙を切り取る。
図４の、バター入れ口２ａの上方へ外出したバターの包装紙の切り取りは、任意形状の付属のカッター１５を用い、バター入れ口２ａの外周に沿って切り取る。親指当てがい部１２を有する枠体１３は、外出したバターの包装紙を切り取る為に着脱自在とし、枠体１３の外周の上端面は、外出する残りのバターをスライスする時、バターナイフ等が摺接する部分でもある。
バターの包装は、製造メーカーによって紙質、包装の仕方が多少異なり、バターの両端を深く折り込んで包装したバターもあるので、各製造メーカーのバターの包装紙を、バターで手を汚さずに容易に切り取るようにするには、包装紙の重なった折込部分をバター入れ口上端より上方へ外す為、スライド溝８．８ａの底部の押し上げ板止め１１．１１ａを、新しいバターを入れた時、バターの一端がバターの入れ口より、ほぼ４ｃｍ上方へ外出する位置に設ける。
バターを次の段に押し上げる時は、押止ネジ６を緩めると、おネジ７の先端が回動自在にバター押止板５．５ａに軸着されたおネジ７に従い、バター押止板５．５ａの上端はバターより引き外され、バター押し上げ板９．９ａをスライド溝８．８ａに摺接させ、次の段に押し上げて、押し上げ量に応じたバターを外出させる。バター押し上げ板止め１１．１１ａの最上段のバターは、バター入れ口より、バターの端部が１〜１．５ｃｍ程スライスできずに残るが、この分のバターは取り出して使用する。
親指当てがい部１２の付いた枠体１３を、バター入れ口２．２ａにはめ合わせ、スライスエッジ付きバターナイフを図７のように持ち、親指当てがい部１２に親指を当てがい、図１０のスライスエッジ付きバターナイフの上面の平面部をバターに当て、図１２のスライスエッジ１９をバターに摺接させてバターをスライスすると、バターはほぼ一定の厚さで、図１０．１２の塗り面の刃型状の傾斜面２０に沿って、上方へ反りながらスライスされ、スライスされたバターは、スライスエッジ付きバターナイフの塗り面に張り付かずに、スライスエッジ２０の傾斜面に付いて残り、図８のように、スライスされたバターはバターナイフより容易に外れ、トーストパンに乗せることができ、薄くスライスされたバターはトーストパンの熱により直ちに溶けだし、バターを容易に伸ばして塗ることができる。低い温度で保存されたバターほど、スライスした時、上方へのバターの反りが大きいので、トーストパンに乗せたときバターに熱が良く伝わるように、バターナイフでパンの表面にバター全体が良く着くように押さえる。
【０００６】
【実施例】
実施例について説明すると、図３．４．９の、バター底部を押し上げる両端に摘み１０．１０ａの付いた矩形状のバター押し上げ板９．９ａを、バタースライス容器１．１ａの底部から上部へスライドできるスライド溝８．８ａに差し渡し、バターを止め置ける、所定間隔に切り欠いたバター押し上げ板止め１１．１１ａを設け、バターを、バター入れ口２．２ａの上方へ外出させるバター押し上げ部を有し、バター入れ口２ａの長辺側の一方の内側に、バター押止板上部に、おネジ７の先端が回動自在に軸着され、押止ネジ６の締め緩めによって前後に出退するバター押止板５ａを有し、又は、バター入れ口２の短辺側の両端縁にギザギザ刃３と、バター押止板の上端縁に、ギザギザ刃４を設けたバター押止板５を有して、バター入れ口２．２ａを構成し、図２のバターの厚さ方向のバター面に近接して、上方に突出する親指あたがい部１２を有する、バター入れ口２．２ａの外周に着脱自在にはめ合わせる枠体１３と、枠体１３の上から被せる、図１の蓋１４を設けて、バタースライス容器１．１ａを構成する。
図２２．２４のバタースライス容器１ｂ．１ｃは、バター押止板５．５ａを締めてバターを固定したとき、厚みの小さいバターでは、バターの若干の外方への傾きを防ぐため、バター押止板５．５ａの下部に、バターの厚みに応じて前後に伸縮するスプリング２４を設けたものであり、図２５．２６のバター入れ口２ｂ．２ｃは、バター押止板５．５ａの対辺の長辺側の上端をバター押止板上端より高く設け、短辺側の両上端に傾斜勾配２７を設け、バター押止板５．５ａを締めた時、厚さの小さいバターの若干の外方への傾きを防ぐ。
バター押し上げ部のスライド溝８．８ａに、所定間隔に設けたバター押し上げ板止め１１．１１ａの間隔の設定は任意であり、バター押し上げ板部を、スライド溝８．８ａの底部から上部に滑り抵抗を有する無段階のスライド式にしてもよい。図３．４．２２．２４のバタースライス容器１．１ａ．１ｂ．１ｃでは、押し上げ板止め１１．１１ａを、一般に市販されている、標準的バターの長さがほぼ１２ｃｍであるので、バター入れ口２．２ａより外出する所定量のバターの長さをほぼ４ｃｍとして３段階に設けている。
バタースライス容器１ａのバター入れ口２ａのギザギザ刃の無い、包装紙の切り取りは、なるべく、刃に鋼製、又は刃物鋼を用いた図６の任意形状の付属の、カッター１５を用い、バター入れ口２ａの外周に沿って切り取る。
図２７は、一実施例のバタースライス容器の全体外観正面図である。
図１０．１４．１８はスライスエッジ付きバターナイフの実施例で、任意形状のバターナイフに図１２．１６．２０の刃型状の傾斜面を、塗り面に設けた２０．塗り面と、上面のバターに摺接する面に緩い勾配の傾斜面２０ａ．両面に設けた２０ｂをスライスエッジ１９．１９ａ．１９ｂに設けたものである。
図１１．１５．１９はスライスエッジ付きバタースプレーダーの実施例で任意形状のバタースプレーダーに図１３．１７．２１の、刃型状の傾斜面を塗り面に設けた２２．塗り面と、一方の面のバターに摺接する面に緩い勾配の傾斜面２２ａ．両面に設けた２２ｂをスライスエッジ２１．２１ａ．２１ｂ設にけたものである。
前記の、スライスエッジ付きバターナイフ、スライスエッジ付きバタースプレーダーに設けた、各、刃型状の傾斜面とスライスエッジは、それぞれ円滑にバターをスライスできる。
又、前記のバターナイフ及びバタースプレーダーの各スライスエッジの先端部は、手等を傷付けない程度に薄く設け、図面は省略してあるが、前記の各スライスエッジを両側縁に設けて左利きの人にも使い易くできる。
【０００７】
【発明の効果】
従来、冷蔵庫より取り出し固くなったバターは溶けにくく、トーストパンに伸ばして塗りにくいものであったが、本発明のバタースライス容器とスライスエッジ付きバターナイフを用い、薄くスライスして熱いトーストパンに乗せると、バターはすぐに溶け出し、冷蔵庫から取り出した固いバターを容易にパンに伸ばし塗ることができ、栄養と味と風味豊かなバタートーストパンを手軽に容易に食することができる。
更に、本発明のスライスエッジ付きバタースプレーダー、又はスライスエッジ付きバターナイフを用い、任意の厚さにスライスして調理やケーキ作りにも容易に使うことができる。
更に、スライスされたバターは、スライスエッジ付きバタースプレーダー又はスライスエッジ付きバターナイフ面に張りつかずに、スライスエッジ先端部より容易に外れる。
更に、バターの露出する部分はバター入れ口上部に外出する部分のみで、バター入れ口より下の部分は包装された侭であるので、使い終わるまで変色せず新鮮さが保てる。
更に、バタースライス容器の、バター入れ口とバター入れ口にはめ合わせる枠体に、わずかのバターが付着するのみで、熱いお湯で手軽に洗い流せる。
更に、パン屑がスライス容器のバターに付きにくく、バターを最後まで気持ち良く使用できる。
更に、バタースライス容器は、立てても横にしても置けるので収納、持ち運びが便利である。
【図面の簡単な説明】
【図１】バタースライス容器の蓋の斜視図。
【図２】親指当てがい部１２を設けた枠体１３の斜視図。
【図３】バタースライス容器１の一部切り欠き斜視図。
【図４】バタースライス容器１ａの一部切り欠き斜視図。
【図５】ギザギザ刃の付いたバタースライス容器１の外出したバターの包装紙の切り爪り説明図。
【図６】包装紙切り取り用カッターの斜視図。
【図７】スライスエッジ付きバターナイフを用い、バターをスライスする時の説明図。
【図８】スライスしたバターをトーストパンに乗せる時の説明図。
【図９】バター押し上げ部の一部省略斜視図。
【図１０】スライスエッジ付きバターナイフ１７の斜視図。
【図１１】スライスエッジ付きバタースプレーダー１８の斜視図。
【図１２】Ａ−Ａ線間拡大断面図
【図１３】Ｂ−Ｂ線間拡大断面図
【図１４】スライスエッジ付きバターナイフ１７ａの斜視図。
【図１５】スライスエッジ付きバタースプレーダー１８ａの斜視図。
【図１６】Ｃ−Ｃ線間拡大断面図
【図１７】Ｄ−Ｄ線間拡大断面図
【図１８】スライスエッジ付きバターナイフ１７ｂの斜視図。
【図１９】スライスエッジ付きバタースプレーダー１８ｂの斜視図。
【図２０】Ｅ−Ｅ線間拡大断面図
【図２１】Ｆ−Ｆ線間拡大断面図
【図２２】バタースライス容器１ｂの斜視図。
【図２３】Ｇ−Ｇ線間断面図
【図２４】バタースライス容器１ｃの斜視図。
【図２５】バター入れ口２ｂの部分斜視図。
【図２６】バター入れ口２ｃの部分斜視図。
【図２７】バタースライス容器の全体正面外観図。
【符号の説明】
１．１ａ．１ｂ．１ｃ  バタースライス容器
２．２ａ．２ｂ．２ｃ  バター入れ口
３．ギザギザ刃
４．バター押止板上端のギザギザ刃
５．５ａ．バター押止板
６．押止ネジ
７．おネジ
８．８ａ．スライド溝
９．９ａ．バター押し上げ板
１０．１０ａ．摘み
１１．１１ａ．押し上げ板止め
１２．親指当てがい部
１３．枠体
１４．蓋
１５．包装紙切り取り用カッター
１６．包装紙
１７．１７ａ．１７ｂ  スライスエッジ付きバターナイフ。
１８．１８ａ．１８ｂ  スライスエッジ付きバタースプレーダー。
１９．１９ａ．１９ｂ  バターナイフのスライスエッジ。
２０．２０ａ．２０ｂ．バターナイフの刃型状の傾斜面。
２１．２１ａ．２１ｂ．バタースプレーダーのスライスエッジ。
２２．２２ａ．２２ｂ．バタースプレーダーの刃型状の傾斜面。
２３．バター
２４．コイルスプリング
２５．コイルスプリング伸縮室
２６．バター押止板可動支持部
２７．短辺側の傾斜勾配
【図１】
0003650879.tif 000002
【図２】
0003650879.tif 000003
【図３】
0003650879.tif 000004
【図４】
0003650879.tif 000005
【図５】
0003650879.tif 000006
【図６】
0003650879.tif 000007
【図７】
0003650879.tif 000008
【図８】
0003650879.tif 000009
【図９】
0003650879.tif 000010
【図１０】
0003650879.tif 000011
【図１１】
0003650879.tif 000012
【図１２】
0003650879.tif 000013
【図１３】
0003650879.tif 000014
【図１４】
0003650879.tif 000015
【図１５】
0003650879.tif 000016
【図１６】
0003650879.tif 000017
【図１７】
0003650879.tif 000018
【図１８】
0003650879.tif 000019
【図１９】
0003650879.tif 000020
【図２０】
0003650879.tif 000021
【図２１】
0003650879.tif 000022
【図２２】
0003650879.tif 000023
【図２３】
0003650879.tif 000024
【図２４】
0003650879.tif 000025
【図２５】
0003650879.tif 000026
【図２６】
0003650879.tif 000027
【図２７】
0003650879.tif 000028